(57)【要約】【課題】調光ロールスクリーン用の三層構造生地へ印刷を施す方法と、図柄の印刷を施された三層構造生地を備えた調光ロールスクリーンを提供する。【解決手段】表生地７、中生地８、裏生地９を備えた調光ロールスクリーン用に使用されるプリント用三層構造生地の上下両端に貼り付け加工する方法と、必要に応じ同等の三層構造生地を使用した巻き込み道布用三層構造生地もしくは、巻き込み道布用三層構造生地と送り出し道布用三層構造生地を用意し、上記プリント用三層構造生地に結合する方法及び、調光ロールスクリーンに上記方法を用いて図柄を印刷されたプリント用三層構造生地を備える。【選択図】図１８
2017044054.tif 000002
【特許請求の範囲】
【請求項１】
巻き上げ並びに巻降ろし出来るローラーチューブと、前記ローラーチューブをコントロールするコントローラーと、前記コントローラーと逆の場所の前記ローラーチューブにはめ込むローラーチューブキャップと、ヘッドカバーと、前記ヘッドカバーと前記ローラーチューブにはめ込まれた前記コントローラーと、前記ローラーチューブキャップにはめ込み固定する左サイドキャップと、右サイドキャップ及び、均一な荷重をかける為のボトムと、左ボトムキャップと、右ボトムキャップと、設置するための複数個のブラケットと、表生地と、前記表生地と同じサイズの裏生地及び、前記表生地と前記裏生地のサイズと同じサイズになるよう、複数枚の中生地が調光可能に接続された三層構造生地を備えた、調光ロールスクリーンにおいて、前記三層生地にプリンターにより図柄のプリントが施されていることを特徴とする調光ロールスクリーン。
【請求項２】
表生地と、前記表生地と同じサイズの裏生地と、前記表生地と前記裏生地のサイズと、同じサイズになるよう複数枚の中生地が調光可能に接続された三層構造生地をプリント用三層構造生地として用意し、用意した前記プリント用三層構造生地の上下両端の裁断を  表生地、中生地、裏生地接合部を避けた状態で施し、上下両端に裁断を施した前記三層構造生地の表生地と、中生地の接合部と、裏生地と中生地の接合部全が、綺麗に重なり合うよう整えた状態で、裁断を施した上端の中生地と中生地を貼り合わせ、貼り合わせた中生地と上端の裏生地を貼り合わせ、貼り合わせた中生地と裏生地に上端の表生地を貼り合わせ、同様に下端の中生地と中生地を貼り合わせ、貼り合わせた中生地と下端の裏生地を貼り合わせ、下端の貼り合わせた中生地と裏生地に下端の表生地を貼り合わせた状態で、プリンターにセットし、図柄のプリントを施す事を特徴とする調光スクリーンに使用される三層構造生地への印刷方法。
【請求項３】
表生地と、前記表生地と同じサイズの裏生地と、前記表生地と前記裏生地のサイズと、同じサイズになるよう複数枚の中生地が調光可能に接続された三層構造生地をプリント用三層構造生地として用意し、用意した前記プリント用三層構造生地の上下両端の裁断を  表生地、中生地、裏生地接合部を避けた状態で施し、上下両端に裁断を施した前記プリント用三層構造生地の表生地と、中生地の接合部と、裏生地と中生地の接合部全が、綺麗に重なり合うよう整えた状態で、送り出しローラーと巻き込みローラーを備えたプリンターに生地上端部が進行方向に向くようセットし、前記プリント用三層構造生地のプリント面（通常同時に表生地と中生地にプリントが施される。）が前記送り出しローラーと巻き込みローラーを備えたプリンターのプリント側に向くようセットし、前記送り出しローラーに前記プリント用三層構造生地下端部の裏生地を水平に貼り付け、その上から前記プリント用三層構造生地の下端部の中生地を表生地、中生地、裏生地接合部を綺麗に重ねた状態で貼り付け、その上から前記プリント用三層構造生地の下端部の表生地を表生地、中生地、裏生地接合部を綺麗に重ねた状態で貼り付け、前記巻き込みローラーに前記プリント用三層構造生地の表生地を表生地、中生地、裏生の全接合部が綺麗に重なるよう注意し上端部の表生地を進行方向へ軽くテンションを掛け、巻き込みローラーへ水平に貼り付け、その上から上端部中生地を貼り付け、上端部裏生地を貼り付け、図柄のプリントを施す事を特徴とする調光スクリーンに使用される三層構造生地への印刷方法。
【請求項４】
表生地と、前記表生地と同じサイズの裏生地と、前記表生地と前記裏生地のサイズと、同じサイズになるよう複数枚の中生地が調光可能に接続された三層構造生地を巻き込み道布用三層構造生地として用意し、前記巻き込み道布用三層構造生地の上下両端の裁断を  表生地、中生地、裏生地接合部を避けた状態で施し、前記プリント用三層構造生地の上下両端の裁断を  表生地、中生地、裏生地接合部を避けた状態で施し、前記巻き込み道布用三層構造生地の下端部の表生地と中生地接合部と、前記プリント用三層構造生地上端部の表生地と中生地接合部を重ねた状態で貼り合わせ、前記巻き込み道布用三層構造生地の下端部の裏生地と中生地接合部と前記プリント用三層構造生地上端部の裏生地と中生地接合部を重ねた状態で貼り合わせ、送り出しローラーと巻き込みローラーを備えたプリンターに生地上端部が進行方向に向くようセットし、前記プリント用三層構造生地のプリント面（通常同時に表生地と中生地にプリントが施される。）が前記送り出しローラーと巻き込みローラーを備えたプリンターのプリント側に向くようセットし、前記送り出しローラーに前記プリント用三層構造生地下端部の裏生地を水平に貼り付け、その上から前記プリント用三層構造生地の下端部の中生地を表生地、中生地、裏生地接合部を綺麗に重ねた状態で貼り付け、その上から前記プリント用三層構造生地の下端部の表生地を表生地、中生地、裏生地接合部を綺麗に重ねた状態で貼り付け、前記巻き込みローラーに前記巻き込み道布用三層構造生地の表生地を表生地、中生地、裏生の全接合部が綺麗に重なるよう注意し上端部の表生地を進行方向へ軽くテンションを掛け、巻き込みローラーへ水平に貼り付け、その上から上端部中生地を貼り付け、上端部裏生地を貼り付け、図柄のプリントを施す事を特徴とする調光スクリーンに使用される三層構造生地への印刷方法。
【請求項５】
表生地と、前記表生地と同じサイズの裏生地と、前記表生地と前記裏生地のサイズと、同じサイズになるよう複数枚の中生地が調光可能に接続された三層構造生地と、同構造の三層構造生地を  巻き込み道布用三層構造生地として用意し、前記巻き込み道布用三層構造生地の上下両端の裁断を  表生地、中生地、裏生地接合部を避けた状態で施し、前記プリント用三層構造生地の上下両端の裁断を表生地、中生地、裏生地接合部を避けた状態で施し、前記巻き込み道布用三層構造生地の下端部の表生地と中生地接合部と、前記プリント用三層構造生地上端部の表生地と中生地接合部を重ねた状態で貼り合わせ、前記巻き込み道布用三層構造生地の下端部の裏生地と中生地接合部と前記プリント用三層構造生地上端部の裏生地と中生地接合部を重ねた状態で貼り合わせ、表生地と、前記表生地と同じサイズの裏生地と、前記表生地と前記裏生地のサイズと、同じサイズになるよう複数枚の中生地が調光可能に接続された三層構造生地を  送り出し道布用三層構造生地として用意し、張り合わせた巻き込み道布用三層構造生地とプリント用三層構造生地の下端部分と、前記送り出し道布用三層構造生地の上端部を表生地と中生地接合部、裏生地と中生地の接合部を綺麗に重ね合わせた状態で表生地と表生地、中生地と中生地、裏生地と裏生地どうしを張り合わせ、接続された３つの三層構造生地を用意し、送り出しローラーと巻き込みローラーを備えたプリンターに前記接続された３つの三層構造生地上端部が進行方向に向くようセットし、前記プリント用三層構造生地のプリント面（通常同時に表生地と中生地にプリントが施される。）が前記送り出しローラーと巻き込みローラーを備えたプリンターのプリント側に向くようセットし、前記送り出しローラーに前記送り出し道布用三層構造生地下端部の裏生地を水平に貼り付け、その上から前記送り出し道布用三層構造生地の下端部の中生地を表生地、中生地、裏生地接合部を綺麗に重ねた状態で貼り付け、その上から前記送り出し道布用三層構造生地の下端部の表生地を表生地、中生地、裏生地接合部を綺麗に重ねた状態で貼り付け、前記巻き込みローラーに前記巻き込み道布用三層構造生地の表生地を表生地、中生地、裏生の全接合部  が綺麗に重なるよう注意し上端部の表生地を進行方向へ軽くテンションを掛け、巻き込みローラーへ水平に貼り付け、その上から上端部中生地を貼り付け、上端部裏生地を貼り付け、図柄のプリントを施す事を特徴とする調光スクリーンに使用される三層構造生地への印刷方法。
【発明の詳細な説明】
【技術分野】
【０００１】  本発明は三層構造生地に印刷する方法と、印刷された三層構造生地を備えた調光ロールスクリーンに関する。
【背景技術】
【０００２】  調光ロールスクリーンは、ロールスクリーンの持つ機能とデザイン性を活かしつつ、室内への採光量を調整可能とした物で、特許文献１及び特許文献２に示すような２枚のスクリーンを重ね合わせて調光を行うタイプの物があるが、最近では、外観デザインを重視して三層構造のスクリーンを用いてブラインドに類似した機能の調光ロールスクリーンが商品化されている。
【先行技術文献】
【特許文献】
【０００３】
【特許文献１】  特開２０１２−０７７５０１号広報
【特許文献２】  特開２０１４−１７３３１７号広報
【特許文献３】  特開平７−１０１１２１号広報
【発明の概要】
【発明が解決しようとする課題】
【０００４】  三層構造のスクリーンを備えた調光ロールスクリーンは、上記のように外観デザインを重視した商品であるが故に、スクリーン面に室内の雰囲気やユーザーの好みに合わせた図柄の印刷を施しさらなる装飾性の向上が競合他社との差別化には欠かせなかった。【０００５】  しかしながら、従来の１枚生地の印刷は、例えば特許文献３に示すようにその技術は古くから定着しており、またプリンターも各種タイプの物が存在しているが、これらのプリンターは複数枚が重なり合った紙や生地に対応するようになっておらず、ましてや三層構造生地へ印刷出来る構造になっていない為、上記三層構造のスクリーン生地への高品質の印刷は困難を極め、それ故、三層構造のスクリーンに図柄のプリントを施した調光ロールスクリーンは未だ商品化されていないのが現状である。【０００６】  具体的には、一枚生地と同様の印刷方法を施した場合、重なり合った３枚構造の１枚目２枚目に同じ印刷を同時に施す三層構造生地への印刷は、必ず生地ずれがおこり、綺麗に印刷が出来ないことや、他に、プリンターへ三層構造生地を一枚生地同様に設置した際、プリンターのインク吹き出し口に三層構造生地の表生地が接触し思わぬ所へインク筋の汚れが付着することがある。また、調光ロールスクリーン用に三層構造生地に印刷を施す際、当該の調光ロールスクリーンのサイズに合わせた印刷を行うことがあるが、その場合既存の方法では、三層構造生地のずれ、ゆがみの解消は出来なかった。【０００７】  さらに、印刷部分以外にプリンターへ設置するための生地が必要である為、生地のロスが非常に多く、単価を抑えることが出来かった。【０００８】  本発明は、かかる課題を解決するものであり、調光ロールスクリーン用三層構造生地への印刷をプリンターで行い、三層構造生地にでる印刷時のゆがみ・ずれを無くし、ロスを極めて軽減し、必要なサイズの調光ロールスクリーン用三層構造生地へ、あらゆる印刷が施せる方法と、綺麗で安価で簡単に印刷された調光ロールスクリーン用三層構造生地を備えた調光ロールスクリーンを提供することを目的とする。
【課題を解決するための手段】
【０００９】  上記目的を達成するため、表生地と、前記表生地と同じサイズの裏生地と、前記表生地と前記裏生地のサイズと、同じサイズになるよう複数枚の中生地が調光可能に接続された三層構造生地をプリント用三層構造生地として用意し、用意した前記プリント用三層構造生地の上下両端の裁断を  表生地、中生地、裏生地接合部を避けた状態で施し、上下両端に裁断を施した前記三層構造生地の表生地と、中生地の接合部と、裏生地と中生地  の接合部全が、綺麗に重なり合うよう整えた状態で、裁断を施した上端の中生地と中生地を貼り合わせ、貼り合わせた中生地と上端の裏生地を貼り合わせ、貼り合わせた中生地と裏生地に上端の表生地を貼り合わせ、同様に下端の中生地と中生地を貼り合わせ、貼り合わせた中生地と下端の裏生地を貼り合わせ、下端の貼り合わせた中生地と裏生地に下端の表生地を貼り合わせた状態で、プリンターにセットし、画像・絵・文字・数字等プリントを施す事を特徴とし、さらに、プリント用三層構造生地の印刷無駄を省く為、請求項３乃至５に記載するように前記の印刷方法を利用して、プリント用三層構造生地の上端、又は上下両端にプリント用三層構造生地と同等の構造で使い回しする道布を結合して一体化し、この状態で印刷することを特徴としている。【００１０】  上記印刷方法によりプリントを施された三層構造生地を必要なサイズに切断して調光ロールスクリーンに組み付ければスクリーンに図柄のプリントを施されたことを特徴とする調光ロールスクリーンが完成する。
【発明の効果】
【００１１】  三層構造生地に印刷を施す際、今までは生地のずれ・ゆがみ・浮きが起こっていたが、本発明の印刷方法を施すことで生地のずれ・ゆがみ・浮きが削減出来る。【００１２】  また、送り出し三層構造生地とプリント用三層構造生地と巻き込み三層構造生地に分けることで、送り出し三層構造生地と巻き込み三層構造生地の使い回しが出来その分生地ロスを大幅に削減出来る。【００１３】  さらに、三層構造生地の調光ロールスクリーンに印刷を施した製品が無かったが、一枚、一枚、オーダーとして全く異なる画像・文字・数字等を安価でプリントすることも出来、又、同じ画像・文字・数字等を複数枚連続してプリントすることが可能となる。【００１４】  画像・文字・数字等をプリントした三層構造生地の調光ロールスクリーンの提供が可能になる。
【図面の簡単な説明】
【００１５】
【図１】  調光ロールスクリーン用三層構造生地の採光時の正面図である。
【図２】  調光ロールスクリーン用三層構造生地の採光時の左側面図である。
【図３】  調光ロールスクリーン用三層構造生地の採光時の斜視図である。
【図４】  調光ロールスクリーン用三層構造生地の遮光時の左側面図である。
【図５】  調光ロールスクリーン用三層構造生地の遮光時の斜視図である。
【図６】  調光ロールスクリーン用三層構造生地と送り出し道布用三層構造生地の貼り合せ時の採光時の左側面図である。
【図７】  調光ロールスクリーン用三層構造生地と送り出し道布用三層構造生地の貼り合せ時の採光時の斜視図である。
【図８】  調光ロールスクリーン用三層構造生地と送り出し道布用三層構造生地の貼り合せ時の遮光時の左側面図である。
【図９】  調光ロールスクリーン用三層構造生地と送り出し道布用三層構造生地の貼り合せ時の遮光時の斜視図である。
【図１０】  調光ロールスクリーン用三層構造生地と送り出し生地と巻き込み道布用三層構造生地の貼り合せ後の採光時の左側面図である。
【図１１】  調光ロールスクリーン用三層構造生地と送り出し生地と巻き込み道布用三層構造生地の貼り合せ後の遮光時の左側面図である。
【図１２】  プリント機の送り出しローラーに調光ロールスクリーン用三層構造生地を貼り付ける状態を示す図である。
【図１３】  プリント機の巻き込みローラーに調光ロールスクリーン用三層構造生地を貼り付ける状態を示す図である。
【図１４】  三層構造生地を使用した調光ロールスクリーン製品正面図である。
【図１５】  三層構造生地を使用した調光ロールスクリーン製品採光時の左側面図である。
【図１６】  三層構造生地を使用した調光ロールスクリーン製品遮光時の左側面図である。
【図１７】  三層構造生地にプリントを施した調光ロールスクリーン製品遮光時の斜視図である。
【図１８】  三層構造生地にプリントを施した調光ロールスクリーン製品採光時の斜視図である。
【図１９】  第２、３、４の実施の形態の送り出し及び巻き込みローラーを備えプリンターの略図である。
【図２０】  第１の実施の形態の略図である。
【図２１】  第１の実施の形態の略図である。
【発明を実施するための形態】
【００１６】  図１から図２１を用いて、本発明の三層構造生地にプリンターを使いプリントを施す方法と、プリントを施された三層構造生地を組み付けた調光ロールスクリーンの実施の形態の構造について、説明する。
【００１７】  まず三層構造生地を備えた調光ロールスクリーンに使用されている三層構造生地は図１のように正面から見た場合一枚の生地に見え、横にストライプ状に表生地中生地接合部６が見える。採光時は図２・図３のように、三層構造になっていることが良く分かり、表生地７、中生地８，裏生地９そして表生地中生地接合部６と裏生地中生地接合部１０が確認出来る。また、図４・図５では遮光時の状態を確認出来る。図１４・図１５・図１６・図１７・図１８にあるように図柄を印刷された三層構造生地を組み付け備えた調光ロールスクリーンが完成する。
【００１８】  第１の実施の形態の本発明の図２０や図２１のようなプリンターを使い印刷を施した三層構造生地を用いた調光ロールスクリーン用の三層構造生地のプリンターへの設置方法は、プリント用三層構造生地１を遮光状態図５（図５では表生地７と裏生地９の間に中生地８が見えているが、図面上で分かりやすくするため会えて開いている。遮光状態は表生地７と裏生地９の間が狭まり中生地８は見えない状態にある。）にし、表生地・中生地接合部６と裏生地・中生地接合部１０を避け、裁断し、貼り付け部１１、貼り付け部１５並びに貼り付け部２２、貼り付け部２６を備える。
【００１９】  貼り付け部１１、貼り付け部１５を貼り付け、貼り付け部２２、貼り付け部２６を貼り付ける。その際、裏生地９を当該生地の上方向に引っ張り、テンションをかけ、同時に表生地７を当該生地の下方向に引っ張り、テンションをかける。前期裏生地９と表生地７を上下に引っ張り、テンションをかけながら貼り付けた上で、図２０や図２１のようなプリンターへ設置する方法が第１の実施の形態である。
【００２０】  第２の実施の形態の本発明の図１から図５のプリント用三層構造生地１のみ使用し図１９のようなプリンターで印刷を施す場合、まず、前記プリント用三層構  造生地１を遮光状態図５（図５では表生地７と裏生地９の間に中生地８が見えているが、図面上で分かりやすくするため会えて開いている。遮光状態は表生地７と裏生地９の間が狭まり中生地８は見えない状態にある。）にし、表生地・中生地接合部６と裏生地・中生地接合部１０を避け、水平に裁断し、図１９のプリンターにある図１２の送り出しローラー４に、プリント用三層構造生地１の裏生地９が接する向きに用意し、貼り付け部２６の裏生地９を図１２の送り出しローラー４に水平に貼り付け、貼り付けた貼り付け部２６の裏生地９の上からさらに、貼り付け部２６の中生地８の裁断部を貼り付けた状態で、図１２の進行方向３１へプリント用三層構造生地１の表生地７を引っ張り、テンションをかけることでプリント用三層構造生地１を遮光状態にし、貼り付け部２６の裏生地９と貼り付け部２６の中生地８が貼り付けられている図１２の送り出しローラー４の上から貼り付け部２２の中生地８の裁断部を貼り付け、さらにその上から貼り付け部２２の表生地７を貼り付ける。尚、貼り付け部２６の裏生地９と貼り付け部２６の中生地８と貼り付け部２２の中生地８と貼り付け部２２の表生地７を貼り付ける際、裏生地中生地貼り合わせ箇所２４と表生地中生地貼り合わせ箇所２０が綺麗にかせなり合うよう貼り付けた状態を備える。
【００２１】  次に、図１９のプリンターにある図１３巻き込みローラー５に、プリント用三層構造生地１の表生地９が接する向きに用意し、貼り付け部１１の表生地７を送り出し図１３のローラー５に水平に方法で貼り付け、貼り付けた貼り付け部１１の表生地７の上からさらに、貼り付け部１１の中生地８の裁断部を貼り付けた状態で遮光状態にし、貼り付け部１１の表生地７と貼り付け部１１の中生地８が貼り付けられている図１３の巻き込みローラー５の上から貼り付け部１５の中生地８の裁断部を貼り付け、さらにその上から貼り付け部１５の裏生地９を貼り付ける。尚、貼り付け部１１の表生地７と貼り付け部１１の中生地８と貼り付け部１５の中生地８と貼り付け部１５の裏生地９を貼り付ける際、表生地中生地貼り合わせ箇所１３と裏生地中生地貼り合わせ箇所１６が綺麗にかせなり合うよう貼り付け印刷する方が第２の実施の状態である。
【００２２】  第３の実施の形態の本発明の図６〜図９のプリント用三層構造生地１と巻き込み用三層構造生地２を使用し、図１９のプリンターを使用しプリント用三層構造生地１へ印刷を施す場合、まず前記プリント用三層構造生地１を遮光状態図５（図５では表生地７と裏生地９の間に中生地８が見えているが、図面上で分かりやすくするため会えて開いている。遮光状態は表生地７と裏生地９の間が狭まり中生地８は見えない状態にある。）にし、表生地・中生地接合部６と裏生地・中生地接合部１０を避け、プリント用三層構造生地１の上下両端を裁断した状態に備える。
【００２３】  次に、前記巻き込み道布用三層構造生地２をプリント用三層構造生地１同様の遮光状態にし、前記巻き込み道布用三層構造生地２を表生地・中生地接合部６と裏生地・中生地接合部１０を避け、巻き込み道布用三層構造生地２の上下両端を裁断した状態に備える。
【００２４】  次に、プリント用三層構造生地１の上端裏生地裁断部１５の裏生地９と中生地８の接合部１７と前記巻き込み道布用三層構造生地２の下端裏生地裁断部１８の裏生地９と中生地８接合部１６を重ねた状態で備え、張り合わせたプリント用三層構造生地１の上端裁断部にある裏生地裁断部１５と前記巻き込み道布用三層構造生地の下端裁断部にある裏生地裁断部１８を貼り合わせた状態を備える。
【００２５】  次に前記プリント用三層構造生地１の上端表生地裁断部１１の表生地７と中生地８の接合部１３と前記巻き込み道布用三層構造生地２の下端裏生地裁断部１８の表生地７と中生地８接合部１２を重ねた状態で備え、張り合わせたプリント用三層構造生地１の上端裁断部にある表生地裁断部１１と前記巻き込み道布用三層構造生地の下端裁断部にある裏生地裁断部１４を貼り合わせた状態を備える。
【００２６】  前記で張り合わせたプリント用三層構造生地１と巻き込み道布用三層構造生地２のプリント用三層構造生地１の下端裁断部の裏生地裁断部３０が図１２のように送り出しローラー４に設置するよう備え、図１２の送り出しローラー４に対し下端裏生地裁断部３０の左右が水平になるように備え、図１２の送り出しローラー４に下端裏生地裁断部３０を貼り付けた状態を備える。
【００２７】  次に、巻き込みローラー４に貼り付けられた、前記で張り合わせたプリント用三層構造生地１と巻き込み道布用三層構造生地２のプリント用三層構造生地１の下端裏生地裁断部３０の裏生地９と中生地８の接合部と前記図１２の送り出しローラー４に貼り付けられた、前記で張り合わせたプリント用三層構造生地１と巻き込み道布用三層構造生地のプリント用三層構造生地の下端表生地裁断部２９の表生地７と中生地８の接合部を重ね合わせ前記下端表生地裁断部２９を図１２の送り出し用ローラー４に貼り付けた状態を備える。
【００２８】  前記で張り合わせたプリント用三層構造生地１と巻き込み道布用三層構造生地２の巻き込み道布用三層構造生地の上端裏生地裁断部２７を図１３の巻き込み方向３２方向へテンションをかけ引っ張り、前記で張り合わせたプリント用三層構造生地１と巻き込み道布用三層構造生地２の巻き込み道布用三層構造生地２の上端裁断部の表生地裁断部２７が図１３のように巻き込みローラー５に設置するよう備え、図１３の巻き込みローラー５に対し上端表生地裁断部２７の左右が水平になるように備え、巻き込みローラー５に上端裏生地裁断部２７を貼り付けた状態を備える。
【００２９】  次に図１３の巻き込みローラー５に貼り付けられた、前記で張り合わせたプリント用三層構造生地１と巻き込み道布用三層構造生地の巻き込み道布用三層構造生地２の上端表生地裁断部２７の表生地７と中生地８の接合部と前記図１３の巻き込みローラー５に貼り付けられた、前記で張り合わせたプリント用三層構造生地１と巻き込み道布用三層構造生地２の巻き込み道布用三層構造生地２の上端裏生地裁断部２８の裏生地９と中生地８の接合部を重ね合わせ前記上端裏生地裁断部２８を巻き込み用ローラー５に貼り付けた状態が第３の実施の形態である。
【００３０】  第４の実施の形態の本発明の図１０・図１１のプリント用三層構造生地１と巻き込み用三層構造生地２と送り出し用三層構造生地３を使用し、図１９のプリンターを使用しプリント用三層構造生地１へ印刷を施す場合、まず前記プリント用三層構造生地１を遮光状態図５（図５では表生地７と裏生地９の間に中生地８が見えているが、図面上で分かりやすくするため会えて開いている。遮光状態は表生地７と裏生地９の間が狭まり中生地８は見えない状態にある。）にし、表生地・中生地接合部６と裏生地・中生地接合部１０を避け、プリント用三層構造生地１の上下両端を裁断した状態に備える。
【００３１】  次に、前記送り出し道布用三層構造生地３をプリント用三層構造生地１同様の遮光状態にし、前記送り出し道布用三層構造生地３を表生地・中生地接合部６と裏生地・中生地接合部１０を避け、送り出し道布用三層構造生地３の上下両端を裁断した状態に備える。
【００３２】  次に、前記巻き込み道布用三層構造生地２をプリント用三層構造生地１同様の遮光状態にし、前記巻き込み道布用三層構造生地２を表生地・中生地接合部６と裏生地・中生地接合部１０を避け、巻き込み道布用三層構造生地２の上下両端を裁断した状態に備える。
【００３３】  前記送り出し道布用三層構造生地３の上端裏生地裁断部２３の裏生地９と中生地８の接合部２５と前記プリント用三層構造生地１の下端裏生地裁断部２６の裏生地９と中生地８接合部２４を重ねた状態で備え、前記プリント用三層構造生地１の下端裁断部にある裏生地裁断部２６と、送り出し道布用三層構造生地３の上端裁断部にある裏生地裁断部２３を貼り合わせた状態を備える。
【００３４】  次に前記送り出し道布用三層構造生地３の上端表生地裁断部１９の表生地７と中記事８の接合部２１と前期プリント用三層構造生地１の加担表生地裁断部２２の表生地７と中生地８接合部２０を重ねた状態で備え、前記プリント用三層構造生地１の下端表生地裁断部にある下端表生地裁断部２２と、前送り出し道布用三層構造生地３の上端裁断部にある表生地裁断部１９を貼り合わせた状態を備える。
【００３５】  次に、前記で張り合わせたプリント用三層構造生地１と送り出し道布用三層構造生地３のプリント用三層構造生地１の上端裏生地裁断部１５の裏生地９と中生地８の接合部１７と前記巻き込み道布用三層構造生地２の下端裏生地裁断部１８の裏生地９と中生地８接合部１６を重ねた状態で備え、張り合わせたプリント用三層構造生地１と送り出し道布用三層構造生地のプリント用三層構造生地の上端裁断部にある裏生地裁断部１５と前記巻き込み道布用三層構造生地の下端裁断部にある裏生地裁断部１８を貼り合わせた状態を備える。
【００３６】  次に前記で張り合わせたプリント用三層構造生地１と送り出し道布用三層構造生地３のプリント用三層構造生地１の上端表生地裁断部１１の表生地７と中生地８の接合部１３と前記巻き込み道布用三層構造生地２の下端裏生地裁断部１８の表生地７と中生地８接合部１２を重ねた状態で備え、張り合わせたプリント用三層構造生地１と送り出し道布用三層構造生地のプリント用三層構造生地の上端裁断部にある表生地裁断部１１と前記巻き込み道布用三層構造生地の下端裁断部にある裏生地裁断部１４を貼り合わせた状態を備える。
【００３７】  前記で張り合わせたプリント用三層構造生地１と送り出し道布用三層構造生地３と巻き込み道布用三層構造生地の送り出し道布用三層構造生地の下端裁断部の裏生地裁断部３０が図１２のように送り出しローラー４に設置するよう備え、図１２の送り出しローラー４に対し下端裏生地裁断部３０の左右が水平になるように備え、図１２のローラー４に下端裏生地裁断部３０を貼り付けた状態を備える。
【００３８】  次に、図１２の送り出しローラー４に貼り付けられた、前記で張り合わせたプリント用三層構造生地１と送り出し道布用三層構造生地３と巻き込み道布用三層構造生地の送り出し道布用三層構造生地の下端裏生地裁断部３０の裏生地９と中生地８の接合部と前記送り出しローラー４に貼り付けられた、前記で張り合わせたプリント用三層構造生地１と送り出し道布用三層構造生地３と巻き込み道布用三層構造生地の送り出し道布用三層構造生地の下端表生地裁断部２９の表生地７と中生地８の接合部を重ね合わせ前記下端表生地裁断部２９を送り出し用ローラー４に貼り付けた状態を備える。
【００３９】  前記で張り合わせたプリント用三層構造生地１と送り出し道布用三層構造生地３と巻き込み道布用三層構造生地の送り出し道布用三層構造生地の巻き込み道布用三層構造生地の上端裏生地裁断部２７を巻き込み方向３２方向へテンションをかけ引っ張り、前記で張り合わせたプリント用三層構造生地１と送り出し道布用三層構造生地３と巻き込み道布用三層構造生地の巻き込み道布用三層構造生地の上端裁断部の裏生地裁断部２７が図１３のように巻き込みローラー５に設置するよう備え、図１３の巻き込みローラー５に対し上端表生地裁断部２７の左右が水平になるように備え、図１３の巻き込みローラー５に上端裏生地裁断部２７を貼り付けた状態を備える。
【００４０】  次に、巻き込みローラー５に貼り付けられた、前記で張り合わせたプリント用三層構造生地１と送り出し道布用三層構造生地３と巻き込み道布用三層構造生地の巻き込み道布用三層構造生地２の上端表生地裁断部２７の表生地７と中生地８の接合部と前記巻き込みローラー５に貼り付けられた、前記で張り合わせたプリント用三層構造生地１と送り出し道布用三層構造生地３と巻き込み道布用三層構造生地２の巻き込み道布用三層構造生地２の上端裏生地裁断部２８の裏生地９と中生地８の接合部を重ね合わせ前記上端裏生地裁断部２８を巻き込み用ローラー５に貼り付けた状態が第４の実施の形態である。
【符号の説明】
【００３２】  １  プリント用三層構造生地
２  巻き込み用三層構造生地
３  送り出し用三層構造生地
４  送り出しローラー
５  巻き込みローラー
６  表生地中生地接合部
７  表生地
８  中生地
９  裏生地
１０  裏生地中生地接合部
１１  プリント用三層構造生地上端表生地裁断部
１２  プリント用三層構造生地上端表生地裁断部の表生地中生地接合部
１３  巻き込み道布用三層構造生地下端表生地裁断部の表生地中生地接合部
１４  巻き込み道布用三層構造生地下端表生地裁断部
１５  プリント用三層構造生地上端裏生地裁断部
１６  巻き込み道布用三層構造生地上端裏生地裁断部も裏生地中生地接合部
１７  プリント用三層構造生地上端裏生地裁断部の裏生地中生地接合部
１８  巻き込み道布用三層構造生地上端裏生地裁断部
１９  送り出し用三層構造生地上端表生地裁断部
２０  プリント用三層構造生地下端表生地裁断部の表生地中生地接合部
２１  送り出し用三層構造生地上端表生地裁断部の表生地中生地接合部
２２  プリント用三層構造生地下端表生地裁断部
２３  送り出し用三層構造生地上端裏生地裁断部
２４  プリント用三層構造生地下端裏生地裁断部の裏生地中生地接合部
２５  送り出し用三層構造生地上端裏生地裁断部の裏生地中生地接合部
２６  プリント用三層構造生地下端裏生地裁断部
２７  上端表生地裁断部
２８  上端裏生地裁断部
２９  下端表生地裁断部
３０  下端裏生地裁断部
３１  進行方向
３２  巻き込み方向
【図１】
2017044054.tif 000003
【図２】
2017044054.tif 000004
【図３】
2017044054.tif 000005
【図４】
2017044054.tif 000006
【図５】
2017044054.tif 000007
【図６】
2017044054.tif 000008
【図７】
2017044054.tif 000009
【図８】
2017044054.tif 000010
【図９】
2017044054.tif 000011
【図１０】
2017044054.tif 000012
【図１１】
2017044054.tif 000013
【図１２】
2017044054.tif 000014
【図１３】
2017044054.tif 000015
【図１４】
2017044054.tif 000016
【図１５】
2017044054.tif 000017
【図１６】
2017044054.tif 000018
【図１７】
2017044054.tif 000019
【図１８】
2017044054.tif 000020
【図１９】
2017044054.tif 000021
【図２０】
2017044054.tif 000022
【図２１】
2017044054.tif 000023